【手続補正書】
【提出日】平成26年5月28日(2014.5.28)
【手続補正１】
【補正対象書類名】特許請求の範囲
【補正対象項目名】全文
【補正方法】変更
【補正の内容】
【特許請求の範囲】
【請求項１】
符号化対象画像の近傍にある第一の近傍画像の第一のイントラ予測モードと、第二の近傍画像の第二のイントラ予測モードとは等しいか否かと、第一のイントラ予測モードは角度方向の予測であるか否かとによって、前記符号化対象画像の複数のイントラ予測モードの候補を選択する選択部と、
前記選択部によって選択された候補の中から選択された予測モードを用いて、イントラ予測を行うイントラ予測部と、
前記符号化対象画像を符号化する符号化部と、
を備える画像処理装置。
【請求項２】
前記選択部は、前記第一のイントラ予測モードを表す値が２以上の場合に、前記第一のイントラ予測モードが前記角度方向の予測であることを決定し、前記第一のイントラ予測モードを表す値が２より小さい場合に、前記第一のイントラ予測モードが前記角度方向の予測ではないことを決定する請求項１に記載の画像処理装置。
【請求項３】
前記複数のイントラ予測モードの候補は、垂直方向予測を含む請求項１または２に記載の画像処理装置。
【請求項４】
前記複数のイントラ予測モードの候補の数は、3である請求項１ないし３のいずれか一つに記載の画像処理装置。
【請求項５】
前記選択部は、前記第一のイントラ予測モードと、前記第二のイントラ予測モードとが等しく、前記第一のイントラ予測モードを表す値が２よりも小さい場合に、前記複数のイントラ予測モードの候補を平面予測と、ＤＣ予測と、垂直方向予測とにする請求項４に記載の画像処理装置。
【請求項６】
前記符号化部は、前記選択された予測モードを表すパラメータと、前記符号化された画像を含むビットストリームを生成する請求項１ないし５のいずれか一つに記載の画像処理装置。
【請求項７】
前記候補の中から選択された予測モードは、
前記パラメータが０を表す場合に、平面予測であり、
前記パラメータが１を表す場合に、ＤＣ予測であり、
前記パラメータが２を表す場合に、垂直方向予測である
請求項６に記載の画像処理装置。
【請求項８】
前記符号化部は、前記選択された予測モードを表すパラメータと、前記符号化された画像を含むビットストリームを生成する請求項７に記載の画像処理装置。
【請求項９】
前記選択部は、前記第一のイントラ予測モードと、前記第二のイントラ予測モードとが等しく、前記第一のイントラ予測モードを表す値が２以上の場合に、前記複数のイントラ予測モードの候補を前記第二のイントラ予測モードと、前記第二のイントラ予測モードが表す予測方向に隣接する第一の予測方向による予測モードと、前記第二のイントラ予測モードが表す予測方向に隣接する第二の予測方向による予測モードと、にする請求項８に記載の画像処理装置。
【請求項１０】
前記イントラ予測部は、前記符号化された画像を含むビットストリームから得られたパラメータを用いて、前記予測モードを選択する請求項９に記載の画像処理装置。
【請求項１１】
前記候補の中から選択された予測モードは、
前記パラメータが０を表す場合に、前記第二のイントラ予測モードであり、
前記パラメータが１を表す場合に、前記第一の予測方向による予測モードであり、
前記パラメータが２を表す場合に、前記第二の予測方向による予測モードである
請求項９または１０に記載の画像処理装置。
【請求項１２】
前記符号化対象画像の複数のイントラ予測モードの候補は、最確モード（most probable mode）のイントラ予測モードである請求項７または１１に記載の画像処理装置。
【請求項１３】
前記第一の近傍画像は、前記符号化対象画像の左に隣接する画像である請求項７ないし１２のいずれか一つに記載の画像処理装置。
【請求項１４】
前記第二の近傍画像は、前記符号化対象画像の上に隣接する画像である請求項７ないし１３のいずれか一つに記載の画像処理装置。
【請求項１５】
前記隣接する画像は、ブロックである請求項１３または１４に記載の画像処理装置。
【請求項１６】
前記ブロックは、Transform Unitである請求項１５に記載の画像処理装置。
【請求項１７】
前記ブロックは、Prediction Unitである請求項１５に記載の画像処理装置。
【請求項１８】
符号化された画像を復号し、前記符号化対象画像を生成する復号部をさらに備える請求項７または１１に記載の画像処理装置。
【請求項１９】
画像処理装置においてイントラ予測を用いた符号化方法であって、
符号化対象画像の近傍にある第一の近傍画像の第一のイントラ予測モードと、第二の近傍画像の第二のイントラ予測モードとは等しいか否かと、第一のイントラ予測モードは角度方向の予測であるか否かとによって、前記符号化対象画像の複数のイントラ予測モードの候補を選択するステップと、
前記選択するステップにおいて選択された候補の中から選択された予測モードを用いて、イントラ予測を行うステップと、
前記符号化対象画像を符号化するステップと、
を含む方法。
【請求項２０】
前記選択するステップは、前記第一のイントラ予測モードを表す値が２以上の場合に、前記第一のイントラ予測モードが前記角度方向の予測であることを決定し、前記第一のイントラ予測モードを表す値が２より小さい場合に、前記第一のイントラ予測モードが前記角度方向の予測ではないことを決定するステップを含む請求項１９に記載の方法。
【請求項２１】
前記複数のイントラ予測モードの候補は、垂直方向予測を含む請求項１９または２０に記載の方法。
【請求項２２】
前記複数のイントラ予測モードの候補の数は、3である請求項１９ないし２１のいずれか一つに記載の方法。
【請求項２３】
前記選択するステップは、前記第一のイントラ予測モードと、前記第二のイントラ予測モードとが等しく、前記第一のイントラ予測モードを表す値が２よりも小さい場合に、前記複数のイントラ予測モードの候補を平面予測と、ＤＣ予測と、垂直方向予測とにするステップを含む請求項２２に記載の方法。
【請求項２４】
前記符号化するステップは、前記選択された予測モードを表すパラメータと、前記符号化された画像を含むビットストリームを生成するステップを含む請求項１９ないし２３のいずれか一つに記載の方法。
【請求項２５】
前記候補の中から選択された予測モードは、
前記パラメータが０を表す場合に、平面予測であり、
前記パラメータが１を表す場合に、ＤＣ予測であり、
前記パラメータが２を表す場合に、垂直方向予測である
請求項２４に記載の方法。
【請求項２６】
前記符号化するステップは、前記選択された予測モードを表すパラメータと、前記符号化された画像を含むビットストリームを生成するステップを含む請求項２５に記載の方法。
【請求項２７】
前記選択するステップは、前記第一のイントラ予測モードと、前記第二のイントラ予測モードとが等しく、前記第一のイントラ予測モードを表す値が２以上の場合に、前記複数のイントラ予測モードの候補を前記第二のイントラ予測モードと、前記第二のイントラ予測モードが表す予測方向に隣接する第一の予測方向による予測モードと、前記第二のイントラ予測モードが表す予測方向に隣接する第二の予測方向による予測モードと、にするステップを含む請求項２６に記載の方法。
【請求項２８】
前記イントラ予測を行うステップは、前記符号化された画像を含むビットストリームから得られたパラメータを用いて、前記予測モードを選択するステップを含む請求項２７に記載の方法。
【請求項２９】
前記候補の中から選択された予測モードは、
前記パラメータが０を表す場合に、前記第二のイントラ予測モードであり、
前記パラメータが１を表す場合に、前記第一の予測方向による予測モードであり、
前記パラメータが２を表す場合に、前記第二の予測方向による予測モードである
請求項２７または２８に記載の方法。
【請求項３０】
前記符号化対象画像の複数のイントラ予測モードの候補は、最確モード（most probable mode）のイントラ予測モードである請求項２５または２９に記載の方法。
【請求項３１】
前記第一の近傍画像は、前記符号化対象画像の左に隣接する画像である請求項２５ないし３０のいずれか一つに記載の方法。
【請求項３２】
前記第二の近傍画像は、前記符号化対象画像の上に隣接する画像である請求項２５ないし３１のいずれか一つに記載の方法。
【請求項３３】
前記隣接する画像は、ブロックである請求項３１または３２に記載の方法。
【請求項３４】
前記ブロックは、Transform Unitである請求項３３に記載の方法。
【請求項３５】
前記ブロックは、Prediction Unitである請求項３３に記載の方法。
【請求項３６】
符号化された画像を復号し、前記符号化対象画像を生成するステップをさらに含む請求項２５または２９に記載の方法。
【請求項３７】
符号化対象画像の近傍にある第一の近傍画像の第一のイントラ予測モードと、第二の近傍画像の第二のイントラ予測モードとは等しいか否かと、第一のイントラ予測モードは角度方向の予測であるか否かとによって、前記符号化対象画像の複数のイントラ予測モードの候補を選択するステップと、
前記選択するステップにおいて選択された候補の中から選択された予測モードを用いて、イントラ予測を行うステップと、
前記符号化対象画像を符号化するステップと、
を画像処理装置に実行させるためのコンピュータプログラム。